(57)【要約】【課題】入力電圧に応じて２個のＬＥＤ群の直列／並列の切り替えを自動化でき、また直列／並列のいずれであっても同じ輝度を確保できるようにする。【解決手段】ＬＥＤ群２，３と、スイッチ回路７〜１０と、ＬＥＤ群２に流れる電流を制御する駆動部６１およびＬＥＤ群３に流れる電流を制御する駆動部６２を有する駆動回路６と、入力電圧ＶＩＮを検出して前記スイッチ回路７〜１０を個別的にオン／オフ制御するとともに駆動回路６の各駆動部を制御する制御回路５とを備える。この制御回路５は、入力電圧が低いときは、ＬＥＤ群２を電圧入力端子と駆動部６１に接続しＬＥＤ群３を電圧入力端子と駆動部６２に接続するとともに、駆動部６１，６２を第１の電流に設定する。入力電圧が高いときは、ＬＥＤ群２とＬＥＤ群３を電圧入力端子と駆動部６２とに直列接続するとともに、駆動部６２の電流を前記第１の電流に設定する。【選択図】図１
2015167213.tif 000002
【特許請求の範囲】
【請求項１】
ｎ個（ｎは１以上の整数）のＬＥＤの直列回路からなる第１のＬＥＤ群と、ｎ個のＬＥＤの直列回路からなる第２のＬＥＤ群と、複数のスイッチ回路と、前記第１のＬＥＤ群に流れる電流を制御する第１の駆動部および前記第２のＬＥＤ群に流れる電流を制御する第２の駆動部を有する駆動回路と、前記電圧入力端子の電圧を検出して前記複数のスイッチ回路を個別的にオン／オフ制御するとともに前記駆動回路の前記第１および第２の駆動部を制御する第１の制御回路とを備えるＬＥＤ駆動回路であって、前記第１の制御回路は、
前記電圧入力端子の電圧が低いときは、前記複数のスイッチ回路をオン／オフすることによって、前記第１のＬＥＤ群を前記電圧入力端子と前記第１の駆動部との間に接続するとともに前記第２のＬＥＤ群を前記電圧入力端子と前記第２の駆動部との間に接続することで前記第１および第２のＬＥＤ群を並列接続し、且つ前記第１の駆動部の電流と前記第２の駆動部の電流を第１の電流に設定し、
前記電圧入力端子の電圧が高いときは、前記複数のスイッチ回路をオン／オフすることによって、前記第１のＬＥＤ群と前記第２のＬＥＤ群を前記電圧入力端子と前記第２の駆動部との間に直列接続し、且つ前記第２の駆動部の電流を前記第１の電流に設定する、
ことを特徴とするＬＥＤ駆動回路。
【請求項２】
請求項１に記載のＬＥＤ駆動回路において、
前記電圧入力端子の電圧を安定化して前記第１の制御回路と前記駆動回路に供給する電圧安定化回路を備えることを特徴とするＬＥＤ駆動回路。
【請求項３】
請求項１又は２に記載のＬＥＤ駆動回路において、
前記複数のスイッチ回路は、前記第１のＬＥＤ群と前記第２のＬＥＤ群の間に接続されて前記第１のＬＥＤ群と前記第２のＬＥＤ群を直列接続する第１のスイッチ回路を備え、
該第１のスイッチ回路は、前記第１のＬＥＤ群の側がエミッタとなり前記第２のＬＥＤ群の側がコレクタとなるＰＮＰトランジスタで構成され、
前記第１のＬＥＤ群と前記第２のＬＥＤ群を直列接続する際に、前記ＰＮＰトランジスタのベースに前記電圧入力端子の電圧を分圧した電圧が印加されることを特徴とするＬＥＤ駆動回路。
【請求項４】
請求項１、２又は３に記載のＬＥＤ駆動回路において、
外部制御端子に接続される第２の制御回路を備え、
該第２の制御回路は、前記外部制御端子から入力する制御信号に応じて、前記第１の制御回路による前記複数のスイッチ回路の切り替えおよび前記第１の駆動部と前記第２の駆動部の前記第１の電流の値を制御することを特徴とするＬＥＤ駆動回路。
【請求項５】
請求項１、２、３又は４に記載のＬＥＤ駆動回路において、
前記第１および第２のＬＥＤ群の前記並列接続と前記直列接続のいずれか一方以外の接続を回避する時間調整回路を前記複数のスイッチ回路の出力側に設けたことを特徴とするＬＥＤ駆動回路。
【請求項６】
請求項１、２、３、４又は５に記載のＬＥＤ駆動回路において、
前記電圧入力端子に逆接続防止回路を接続したことを特徴とするＬＥＤ駆動回路。
【発明の詳細な説明】
【技術分野】
【０００１】
本発明はＬＥＤ駆動回路に関する。
【背景技術】
【０００２】
図９に従来のＬＥＤ駆動回路を示す。５１は電圧入力端子、５２，５３は複数個のＬＥＤを直列接続したＬＥＤ群、５４はＰＷＭ信号が入力するＰＷＭ端子、５５は駆動回路である。
【０００３】
電圧入力端子５１の電圧ＶＩＮが低電圧のときは、ＬＥＤ群５２，５３を並列接続した図９（ａ）に示す回路が使用され、電圧入力端子５１の電圧ＶＩＮが高電圧のときは、ＬＥＤ群５２，５３を直列接続した図９（ｂ）に示す回路が使用されている。
【０００４】
しかし、この手法では２種類の回路が必要となる。あるいは配線が別になり、同一基板上で構成する場合にＬＥＤ群が４個必要になるなど高価な部品の増大や基板面積の増大を招く。
【０００５】
一方、特許文献１には、図１０に示すように、ＬＥＤ群６３，６４のＬＥＤの順方向電圧Ｖｆが小さいときは、端子６５を抵抗により接続して、端子６１、６２の間において、ＬＥＤ群６３，６４を直列接続し、ＬＥＤ群６３，６４のＬＥＤの順方向電圧Ｖｆが大きいときは、端子６６，６７をそれぞれ抵抗により接続して、ＬＥＤ群６３，６４を並列接続する構成が記載されている。
【０００６】
しかし、これは使用するＬＥＤの順方向電圧Ｖｆの大きさに応じて、ＬＥＤ群６３，６４の直列接続と並列接続の一方を選択するものであり、ここには入力する電圧の変動に対してどのように接続するかについては明確でない。また、直列接続時のＬＥＤ群６３，６４の各ＬＥＤの順方向電圧Ｖｆを端子６１の側から決めるのか端子６２の側から決めるのかが明らかでない。さらに、端子６５をトランジスタで接続する場合には、そのバイアス設定をどのようにして決めるのかが明らかでない。よって、輝度設計ができないなどの問題がある。
【０００７】
また、特許文献２には、電圧入力端子と内部の電圧生成部との間に照明部を設けたビデオカメラ装置において、照明部を複数のＬＥＤで構成し、電圧入力端子の電圧に応じてそのＬＥＤの直列／並列接続を切り替えて、電圧生成部に入力する電圧が所定の範囲内となるようにする構成が記載されている。
【０００８】
しかし、この照明部は、照明の機能と同時にＬＥＤの直列／並列切替による電圧調整を実現するものであり、ＬＥＤの輝度設定などについては特別の記載がない。
【先行技術文献】
【特許文献】
【０００９】
【特許文献１】特開２００９−０５９６３６号公報
【特許文献２】特開２０１２−０５３１４４号公報
【発明の概要】
【発明が解決しようとする課題】
【００１０】
本発明の目的は、入力電圧に応じて２個のＬＥＤ群の直列／並列の切り替えを自動化でき、また直列／並列のいずれであっても同じ輝度を設定できるようにしたＬＥＤ駆動回路を提供することである。
【課題を解決するための手段】
【００１１】
上記目的を達成するために、請求項１にかかる発明は、ｎ個（ｎは１以上の整数）のＬＥＤの直列回路からなる第１のＬＥＤ群と、ｎ個のＬＥＤの直列回路からなる第２のＬＥＤ群と、複数のスイッチ回路と、前記第１のＬＥＤ群に流れる電流を制御する第１の駆動部および前記第２のＬＥＤ群に流れる電流を制御する第２の駆動部を有する駆動回路と、前記電圧入力端子の電圧を検出して前記複数のスイッチ回路を個別的にオン／オフ制御するとともに前記駆動回路の前記第１および第２の駆動部を制御する第１の制御回路とを備えるＬＥＤ駆動回路であって、前記第１の制御回路は、前記電圧入力端子の電圧が低いときは、前記複数のスイッチ回路をオン／オフすることによって、前記第１のＬＥＤ群を前記電圧入力端子と前記第１の駆動部との間に接続するとともに前記第２のＬＥＤ群を前記電圧入力端子と前記第２の駆動部との間に接続することで前記第１および第２のＬＥＤ群を並列接続し、且つ前記第１の駆動部の電流と前記第２の駆動部の電流を第１の電流に設定し、前記電圧入力端子の電圧が高いときは、前記複数のスイッチ回路をオン／オフすることによって、前記第１のＬＥＤ群と前記第２のＬＥＤ群を前記電圧入力端子と前記第２の駆動部との間に直列接続し、且つ前記第２の駆動部の電流を前記第１の電流に設定することを特徴とする。
【００１２】
請求項２にかかる発明は、請求項１に記載のＬＥＤ駆動回路において、前記電圧入力端子の電圧を安定化して前記第１の制御回路と前記駆動回路に供給する電圧安定化回路を備えることを特徴とする。
【００１３】
請求項３にかかる発明は、請求項１又は２に記載のＬＥＤ駆動回路において、前記複数のスイッチ回路は、前記第１のＬＥＤ群と前記第２のＬＥＤ群の間に接続されて前記第１のＬＥＤ群と前記第２のＬＥＤ群を直列接続する第１のスイッチ回路を備え、該第１のスイッチ回路は、前記第１のＬＥＤ群の側がエミッタとなり前記第２のＬＥＤ群の側がコレクタとなるＰＮＰトランジスタで構成され、前記第１のＬＥＤ群と前記第２のＬＥＤ群を直列接続する際に、前記ＰＮＰトランジスタのベースに前記電圧入力端子の電圧を分圧した電圧が印加されることを特徴とする。
【００１４】
請求項４にかかる発明は、請求項１、２又は３に記載のＬＥＤ駆動回路において、外部制御端子に接続される第２の制御回路を備え、該第２の制御回路は、前記外部制御端子から入力する制御信号に応じて、前記第１の制御回路による前記複数のスイッチ回路の切り替えおよび前記第１の駆動部と前記第２の駆動部の前記第１の電流の値を制御することを特徴とする。
【００１５】
請求項５にかかる発明は、請求項１、２、３又は４に記載のＬＥＤ駆動回路において、前記第１および第２のＬＥＤ群の前記並列接続と前記直列接続のいずれか一方以外の接続を回避する時間調整回路を前記複数のスイッチ回路の出力側に設けたことを特徴とする。
【００１６】
請求項６にかかる発明は、請求項１、２、３、４又は５に記載のＬＥＤ駆動回路において、前記電圧入力端子に逆接続防止回路を接続したことを特徴とする。
【発明の効果】
【００１７】
請求項１にかかる発明によれば、電圧入力端子の電圧に応じて第１、第２のＬＥＤ群の直列／並列が第１の制御回路によって自動的に切り替えられ、直列接続の場合も並列接続の場合も、第１および第２のＬＥＤ群に同じ電流を供給することができ、同じ輝度を実現できる。
【００１８】
請求項２にかかる発明によれば、電圧入力端子の電圧が変動しても安定した電圧を第１の制御回路や駆動回路に供給することができ、各ＬＥＤ群の輝度のばらつきを防ぐことができる。
【００１９】
請求項３にかかる発明によれば、第１のスイッチ回路の起動時の不安定化や逆流阻止が可能となる。
【００２０】
請求項４にかかる発明によれば、電圧入力端子の電圧に関係なく、外部から第１、第２のＬＥＤ群の直列／並列の切り替えが可能になり、そのときの電流も外部から設定することができるようになる。
【００２１】
請求項５にかかる発明によれば、第１、第２のＬＥＤ群の直列／並列以外の接続状態を回避することができる。
【００２２】
請求項６にかかる発明によれば、電源ラインに対して電圧入力端子を逆極性で接続したとしても、内部回路を保護することができる。
【図面の簡単な説明】
【００２３】
【図１】本発明の第１の実施例のＬＥＤ駆動回路の回路図である。
【図２】本発明の第２の実施例のＬＥＤ駆動回路の回路図である。
【図３】本発明の第３の実施例のＬＥＤ駆動回路の回路図である。
【図４】本発明の第４の実施例のＬＥＤ駆動回路の回路図である。
【図５】本発明の第５の実施例のＬＥＤ駆動回路の回路図である。
【図６】本発明の第６の実施例のＬＥＤ駆動回路の回路図である。
【図７】本発明の第７の実施例のＬＥＤ駆動回路の回路図である。
【図８】本発明の第８の実施例のＬＥＤ駆動回路の回路図である。
【図９】従来のＬＥＤ駆動回路のの回路図である。
【図１０】従来の別のＬＥＤ駆動回路の回路図である。
【発明を実施するための形態】
【００２４】
以下、本発明について図を参照しながら説明する。なお、以下に説明する部材・配置等は本発明を限定するものではなく、本発明の趣旨の範囲内で種々改変することができるものである。図面において、同一番号は同等あるいは同一部分を示している。
【００２５】
＜第１の実施例＞
図１に第１の実施例のＬＥＤ駆動回路を示す。１は電圧入力端子、２はｎ個（ｎは１以上の整数）のＬＥＤが直列接続された第１のＬＥＤ群、３もｎ個のＬＥＤが直列接続された第２のＬＥＤ群、４はＰＷＭ端子である。５は第１の制御回路であり、電圧入力端子１に入力する電圧ＶＩＮの高低を検出する電圧検知回路５１と、その電圧検知回路５１の検出結果に応じた制御信号を出力するスイッチ制御回路５２を含む。６は駆動回路であり、ＬＥＤ群２を駆動する第１の駆動部６１と、ＬＥＤ群３又はＬＥＤ群２，３の直列回路を駆動する第２の駆動部６２を含み、それらは所定の電流値を設定するとともに、ＰＷＭ端子４に入力するＰＷＭ信号によって、電流のオン／オフを行う。７〜１０はスイッチ制御回路５２でオン／オフが個別的に制御されるスイッチ回路である。
【００２６】
さて、電圧入力端子１には、高い電圧あるいは低い電圧ＶＩＮが入力する。このとき、入力電圧ＶＩＮが、制御回路５の電源検知回路５１において低い所望の電圧であると検知されたときは、スイッチ制御回路５２によって、スイッチ回路７，８，１０がオンに制御され、スイッチ回路９がオフに制御される。これにより、ＬＥＤ群２，３が電圧入力端子１に対して並列接続される。そして、駆動回路６の駆動部６１，６２が互いに同じ電流値に設定され且つ同じＰＷＭ信号で制御されることで、ＬＥＤ群２，３の各ＬＥＤがそのＰＷＭ制御に応じた同じ輝度で発光する。
【００２７】
以上のように、入力電圧ＶＩＮが低いときは、ＬＥＤ群２，３が並列接続される。このときは、電圧入力端子１に直列接続されるＬＥＤの数が少なくなるので、回路のダイナミックレンジを大きくすることができて、大きな順方向電圧ＶｆのＬＥＤも使用できる。
【００２８】
一方、入力電圧ＶＩＮが、制御回路５の電源検知回路５１において高い所望の電圧であると検知されたときは、スイッチ制御回路５２によって、スイッチ回路８，９がオンに制御され、スイッチ回路７，１０がオフに制御される。これにより、ＬＥＤ群２，３が電圧入力端子１に対して直列接続される。このとき、駆動回路６の駆動部６２がＰＷＭ制御されることで、ＬＥＤ群２，３がそのＰＷＭ制御に応じた輝度で発光する。
【００２９】
以上のように、入力電圧ＶＩＮが高いときは、ＬＥＤ群２，３が直列接続される。このとき、駆動部６２の電流値を、スイッチ制御回路５２によって、並列接続されていた際にＬＥＤ群３に流れた電流値と同じ電流値に制御することで、ＬＥＤ群２，３が並列接続されていた際に入力したＰＷＭ信号と同じＰＷＭ信号が入力する際に、直列接続されたＬＥＤ群２，３の各ＬＥＤの輝度レベルを並列接続時の輝度レベルと同程度にすることができる。
【００３０】
＜第２の実施例＞
図２に第２の実施例のＬＥＤ駆動回路を示す。本実施例は、図１のＬＥＤ駆動回路において、新たに安定化電源回路１１を設けるとともに、電圧入力端子１と安定化電源回路１１との間に第１の電圧減衰回路１２を挿入接続し、電圧入力端子１とＬＥＤ群２，３との間に第２の電圧減衰回路１３を挿入接続している。
【００３１】
入力電圧ＶＩＮの値が安定しないとき、制御回路５や駆動回路６がその入力電圧ＶＩＮの変動の影響を受け、ＬＥＤ群２，３で所定の輝度を実現することができなくなる。そこで本実施例では、安定化電源回路１１を設け、ここで安定化された電圧ＶＤＤを生成して供給することにより、制御回路５や駆動回路６がその入力電圧ＶＩＮの変動の影響を受けないようにする。また、電圧減衰回路１２を挿入接続することにより、安定化電源回路１１に印加する電圧を低下させ、その安定化電源回路１１を構成する素子に耐圧不足が生じないようにする。さらに、電圧減衰回路１３を挿入接続することにより、スイッチ回路７，８の両端間に印加する電圧を低下させ、それらスイッチ回路７，８を構成する素子に耐圧不足が生じないようにする。
【００３２】
例えば、ＬＥＤ群２，３を並列接続した際に、スイッチ回路７，８にかかる電圧は、入力電圧がＶＩＮで、安定化電源回路１１の出力電圧がＶＤＤであるとすると、
スイッチ回路７の高圧側電圧＝ＶＩＮ−ｎ・Ｖｆ
スイッチ回路７の低圧側電圧＝ＶＤＤより低く、第１の駆動部６１が動作できる所望の電圧
スイッチ回路８の高電圧側電圧＝ＶＩＮ−ｎ・Ｖｆ
スイッチ回路８の低圧側電圧＝ＶＤＤより低く、第２の駆動部６２が動作できる所望の電圧
となる。
【００３３】
一方、ＬＥＤ群２，３を直列接続した際に、スイッチ回路８にかかる電圧は、
スイッチ回路８の高電圧側電圧＝ＶＩＮ−２ｎ・Ｖｆ
スイッチ回路８の低圧側電圧＝ＶＤＤより低く、第２の駆動部６２が動作できる所望の電圧
となる。
【００３４】
したがって、入力電圧ＶＩＮが高い場合、あるいはＬＥＤの順方向電圧Ｖｆが小さいときには、特にスイッチ回路７，８に大きな耐圧が要求されることになるが、上記のように電圧減衰回路１３を挿入することにより、スイッチ回路７，８に要求される耐圧を低下させることができる。
【００３５】
＜第３の実施例＞
図３に第３の実施例のＬＥＤ駆動回路を示す。本実施例は、図１のＬＥＤ駆動回路において、起動回路１４と電圧印加回路１５を追加したものである。
【００３６】
ＬＥＤ群２，３を直列接続して使用するときは、スイッチ回路９がオンに制御されるが、入力電圧ＶＩＮの立上り時（起動時）には、スイッチ回路９やＬＥＤ群３に印加する電圧が不定となる。この不定時にスイッチ回路９がある状態に固定され動作不能状態に陥ることがある。また、ＬＥＤ群２の低圧側の電圧がＬＥＤ群３の高圧側電圧として供給されるとき、スイッチ回路９の両端間には大きな電圧が印加されることになる。
【００３７】
そこで、起動時にスイッチ回路９に所望の電圧を供給することで、ＬＥＤ群３の高圧側をＬＥＤ群２の低圧側に接続するとともに、スイッチ回路９からＬＥＤ群３の高圧側電圧として所望の電圧を供給することで電圧の不定や固着を防ぐ。また、スイッチ回路９からＬＥＤ群３への供給電圧をＬＥＤ群２，３の順方向電圧Ｖｆとダイナミックレンジを考慮した電圧とする。
【００３８】
＜第４の実施例＞
図４に第４の実施例のＬＥＤ駆動回路を示す。本実施例は、第１の実施例において、スイッチ回路９に直列に逆電流防止回路１６を挿入したものである。
【００３９】
ＬＥＤ群２，３を直列接続したときは、スイッチ回路９はＬＥＤ群２の側の電圧が高く、ＬＥＤ群３の側の電圧が低くなり逆電圧とはならない。しかし並列接続したときには、スイッチ回路９について、ＬＥＤ群３の側の電圧が高く、ＬＥＤ群２の側の電圧が低くなり、スイッチ回路９に逆電圧が印加して、電流が逆方向に流れ回路素子の劣化が発生することがあり得る。
【００４０】
そこで、これを防ぐために、逆電流防止回路１６を挿入している。なお、逆電流防止回路１６は、スイッチ回路９とＬＥＤ群３との間に挿入しても同様の効果が得られる。
【００４１】
＜第５の実施例＞
図５に第５の実施例のＬＥＤ駆動回路を示す。本実施例は、図１の実施例において、外部制御端子１７に接続され、制御回路５と駆動回路６を制御する第２の制御回路１８を追加したものである。
【００４２】
本実施例では、外部制御端子１７に外部から入力する制御信号を制御回路１８が受信することで、その制御回路１８によって、制御回路５のスイッチ制御回路５２を電圧検知回路５１の検知結果に関係なく制御して、ＬＥＤ群２，３の直列接続や並列接続を切り替えたり、駆動回路６の駆動部６１、６２の電流値を切り替えたりすることができる。
【００４３】
＜第６の実施例＞
図６に第６の実施例のＬＥＤ駆動回路を示す。本実施例は、図１の実施例において、制御回路５のスイッチ制御回路５２の出力側に、時間調整回路１９を挿入したものである。
【００４４】
スイッチ制御回路５２によってスイッチ回路７〜１０を切替制御するとき、ＬＥＤ群２，３が直列／並列のいずれでもない時間領域、あるいは直列／並列が同時に発生する時間領域が存在し得る。そこで、スイッチ制御回路５２によって、ＬＥＤ群２，３が直列／並列の切り替えを行う際に、時間調整回路１９によってスイッチ回路７〜１０を切替制御する際に切り替えに時間差を設けて、前記した直列／並列のいずれでもない時間領域および直列／並列が同時に発生する時間領域が発生することを回避する。この時間調整回路１９によって、例えば、スイッチ回路７，１０は必ず同時にオン／オフさせ、スイッチ回路９のオフ／オン、つまり逆動作と同期させる。なお、スイッチ８は常時オンにしておいてもよい。
【００４５】
＜第７の実施例＞
図７に第７の実施例のＬＥＤ駆動回路を示す。本実施例は、図１の実施例において、電圧入力端子１に逆接続防止回路２０を挿入接続したものである。
【００４６】
ＬＥＤ群２，３の直列接続や並列接続を実現するＬＥＤ駆動回路は、少ない素子で実現が可能であり、回路を構築するプリント基板などの基板サイズも小さくなり、ボードの向きの視認が難しくなる。こうした場合、組み立て作業中に電源ラインの逆接続が発生し易く、この逆接続が発生すると動作時に回路破壊に至る可能性がある。そこで、電圧入力端子１に逆接続防止回路２０を挿入接続することで、電源ラインの逆接続が発生した場合であっても、回路破壊を防止する。
【００４７】
＜第８の実施例＞
図８に第８の実施例のＬＥＤ駆動回路を示す。本実施例は、図１〜図４および図７で説明した構成のすべてを備えた具体的な回路である。Ｄ１はダイオード、Ｒ１〜Ｒ１９は抵抗、ＣＰ１，ＣＰ２はコンパレータ、Ｑ１〜Ｑ６はトランジスタ、Ｃ１はキャパシタである。
【００４８】
前記した逆接続防止回路１０はダイオードＤ１で、電圧減衰回路１２は抵抗Ｒ１で、電圧減衰回路１３は抵抗Ｒ２で、それぞれ構成されている。
【００４９】
制御回路５の電圧検知回路５１は、抵抗Ｒ３，Ｒ４で安定化電源回路１１の出力電圧ＶＤＤを分圧して得た基準電圧Ｖｒｅｆと入力電圧ＶＩＮを抵抗Ｒ５，Ｒ６で分圧して得た電圧ＶａとをコンパレータＣＰ１で比較するよう構成されている。Ｖａ≧Ｖｒｅｆのとき、コンパレータＣＰ１の出力電圧Ｖ１は“Ｈ”、Ｖａ＜Ｖｒｅｆのとき、コンパレータＣＰ１の出力電圧Ｖ１は“Ｌ”となる。
【００５０】
スイッチ制御回路５２は、前記した基準電圧ＶｒｅｆとコンパレータＣＰ１の出力電圧Ｖ１とをコンパレータＣＰ２により比較するよう構成されている。Ｖ１＝“Ｈ”のとき、コンパレータＣＰ２の出力電圧Ｖ２はＶ２＝“Ｌ”となり、Ｖ１＝“Ｌ”のときＶ２＝“Ｈ”となる。
【００５１】
スイッチ回路７はトランジスタＱ１で、スイッチ回路８はトランジスタＱ２で、スイッチ回路９はトランジスタＱ３で、スイッチ回路１０はトランジスタＱ４で、それぞれ構成されている。
【００５２】
そして、入力電圧ＶＩＮが低く、電圧Ｖ１＝“Ｌ”のとき（電圧Ｖ２＝“Ｈ”のとき）は、トランジスタＱ１がオンし、またトランジスタＱ６がオンすることでトランジスタＱ４がオンする。トランジスタＱ３はトランジスタＱ５がオフすることでオフする。なお、トランジスタＱ２は安定化電圧ＶＤＤを抵抗Ｒ１８，Ｒ１９で分圧したベース電圧によってオンしている。以上からこのときは、ＬＥＤ群２，３が並列接続される。
【００５３】
一方、入力電圧ＶＩＮが高く、電圧Ｖ１＝“Ｈ”のとき（電圧Ｖ２＝“Ｌ”のとき）は、トランジスタＱ１がオフし、またトランジスタＱ６がオフすることでトランジスタＱ４がオフする。トランジスタＱ３はトランジスタＱ５がオンすることでオンする。なお、トランジスタＱ２は安定化電圧ＶＤＤを抵抗Ｒ１８，Ｒ１９で分圧したベース電圧によってオンしている。以上からこのときは、ＬＥＤ群２，３が直列接続される。
【００５４】
図３で説明した起動回路１４と電圧印加回路１５および図４で説明した逆流防止回路１６は、トランジスタＱ３と抵抗Ｒ１５，Ｒ１６により構成されている。起動時に入力電圧ＶＩＮが高く、コンパレータＣＰ１の出力電圧Ｖ１が“Ｈ”であるとき、トランジスタＱ５がオンして、トランジスタＱ３のベースに、抵抗Ｒ１５，Ｒ１６で入力電圧ＶＩＮを分圧した電圧を印加させる。このため、そのトランジスタＱ３が起動時であっても確実にオンする。トランジスタＱ３はエミッタがＬＥＤ群２の低電圧側に、コレクタがＬＥＤ群３の高電圧側に接続されたＰＮＰ型であるため、ＬＥＤ群２，３の並列接続時であっても、ＬＥＤ群３の高圧側からＬＥＤ群２の低圧側への逆流が発生することはない。
【００５５】
＜その他の実施例＞
なお、上記した図８では図５の制御回路１８や図６の時間調整回路１９を含めなかったが、当然ながら含めることもできることはもちろんである。つまり、第１〜第７の実施例に記載の構成をすべて含めたＬＥＤ駆動回路を構成することもできる。
【符号の説明】
【００５６】
１：電圧入力端子、２，３：ＬＥＤ群、４：ＰＷＭ端子、５：第１の制御回路、５１：電圧検知回路、５２：スイッチ制御回路、６：駆動回路、６１：第１の駆動部、６２：第２の駆動部、７〜１０：スイッチ回路、１１：安定化電源回路、１２，１３：電圧減衰回路、１４：起動回路、１５：電圧印加回路、１６：逆流防止回路、１７：外部制御端子、１８：第２の制御回路、１９：時間調整回路、２０：逆接続防止回路
【図１】
2015167213.tif 000003
【図２】
2015167213.tif 000004
【図３】
2015167213.tif 000005
【図４】
2015167213.tif 000006
【図５】
2015167213.tif 000007
【図６】
2015167213.tif 000008
【図７】
2015167213.tif 000009
【図８】
2015167213.tif 000010
【図９】
2015167213.tif 000011
【図１０】
2015167213.tif 000012